(57)【要約】【課題】映像表示装置において、製造コストを低くし、且つ、ユーザが、表示パネルの正面を正確にユーザ自身に向けることができるようにする。【解決手段】映像表示装置１は、表示パネル２が正面に配された筐体３と、筐体３を水平面内で回動可能に支持するスタンド５を有している。筐体３の両側部近傍には、表示パネル２の中央部について左右対称に、三対のアライメントミラー１０が設けられている。アライメントミラー１０は、それぞれ左右で対応する一対が、表示パネル２の正面に対し所定の角度だけ表示パネル２の中央部側に傾くように配置されている。ユーザは、筐体３を回動させながら、ユーザ自身の像が、アライメントミラー１０のいずれか一対に略左右対称に映ることを確認することにより、表示パネル２をユーザの正面に向けることができる。【選択図】図１
2008275982.tif 000002
【特許請求の範囲】
【請求項１】
筐体と、
前記筐体の正面中央に配され、画像を表示する表示パネルと、
前記筐体を略水平面内で回動可能に支持するスタンドと、
前記筐体を前記スタンドに対し回動させる回動機構と、
前記回動機構を駆動するための操作ボタンが設けられたリモートコントローラとを備えた映像表示装置において、
前記筐体の正面の前記表示パネルに対して左右両側部に配置された、左右少なくとも一対のアライメントミラーをさらに備え、
前記少なくとも一対のアライメントミラーは、互いに対応する左右一対が、それぞれ、前記表示パネルの中央部について左右対称に、反射面が共に前記表示パネルの正面に対し所定の角度だけ前記表示パネルの中央部側に傾くように配置されており、
ユーザが、前記操作ボタンを操作しつつ前記回動機構を駆動して前記筐体を回動させ、前記表示パネルの前方に位置するユーザの像が前記アライメントミラーにそれぞれ互いに略左右対称に映る位置に停止させることにより、前記表示パネルをユーザの正面に向けさせることを可能にすることを特徴とする映像表示装置。
【請求項２】
前記アライメントミラーは、複数対設けられており、
前記複数対のアライメントミラーは、それぞれ、前記表示パネルの正面に対する角度が他の対のアライメントミラーとは異なるように配置されていることを特徴とする請求項１記載の映像表示装置。
【請求項３】
前記表示パネルの正面に対する前記アライメントミラーの角度は、前記ユーザと前記表示パネルとの距離が予め設定されている所定の基準距離のいずれかであるときに、そのユーザ自身の像が前記アライメントミラーの所定位置に映る角度となるように設定されていることを特徴とする請求項１又は請求項２に記載の映像表示装置。
【請求項４】
前記アライメントミラーは、凹面鏡であることを特徴とする請求項１記載の映像表示装置。
【発明の詳細な説明】
【技術分野】
【０００１】
本発明は、表示パネルの向きを変更可能な映像表示装置に関する。
【背景技術】
【０００２】
従来より、表示パネルが配置された筐体を回転可能にスタンドで支持し、表示パネルの向きをユーザに対して変更可能に構成された映像表示装置がある。このような映像表示装置においては、ユーザが、例えばリモートコントローラに設けられた操作ボタンを操作することにより、筐体をスタンドに対して回動させ、表示パネルをユーザ自身に向けることができる。ユーザは、映像表示装置の回動対応範囲内に位置していれば、表示パネルの正面を正確にユーザ自身に向けることにより、ユーザ自身の位置に関わらず、適正に画像を見ることができる。
【０００３】
このような映像表示装置としては、例えば特許文献１乃至特許文献４に示されているように、リモートコントローラから送信される信号の向きを検出し、信号が送信された向きに画面を向けることができるように構成されている映像表示装置が示されている。このような装置は、画面を自動的にユーザに向けることができて便利である。しかしながら、リモートコントローラから送信される信号の向きを判断するために、複雑な構成のセンサや高価なセンサを用いたり、複雑な演算を行うため、映像表示装置の製造コストが高くなるという問題がある。
【０００４】
また、特許文献５には、画面が正面であることを検出可能なスイッチを設け、リモートコントローラが操作されたときに、画面を自動的に正面に戻すことができる映像表示装置が示されている。しかしながら、特許文献５には、画面の正面をユーザに向けるようにする構成は示されていない。
【特許文献１】特開平１‐１０９８６９号公報
【特許文献２】特開平６‐３３４９４４号公報
【特許文献３】特開平４‐３３６７８４号公報
【特許文献４】特開２００２‐１０１０１号公報
【特許文献５】特開２００５‐１０６８７７号公報
【発明の開示】
【発明が解決しようとする課題】
【０００５】
本発明は、上記問題点を鑑みてなされたものであり、製造コストが低く、且つ、ユーザが、表示パネルを正確にユーザの正面に向けることができる映像表示装置を提供することを目的とする。
【課題を解決するための手段】
【０００６】
上記目的を達成するため、請求項１の発明は、筐体と、前記筐体の正面中央に配され、画像を表示する表示パネルと、前記筐体を略水平面内で回動可能に支持するスタンドと、前記筐体を前記スタンドに対し回動させる回動機構と、前記回動機構を駆動するための操作ボタンが設けられたリモートコントローラとを備えた映像表示装置において、前記筐体の正面の前記表示パネルに対して左右両側部に配置された、左右少なくとも一対のアライメントミラーをさらに備え、前記少なくとも一対のアライメントミラーは、互いに対応する左右一対が、それぞれ、前記表示パネルの中央部について左右対称に、反射面が共に前記表示パネルの正面に対し所定の角度だけ前記表示パネルの中央部側に傾くように配置されており、ユーザが、前記操作ボタンを操作しつつ前記回動機構を駆動して前記筐体を回動させ、前記表示パネルの前方に位置するユーザの像が前記アライメントミラーにそれぞれ互いに略左右対称に映る位置に停止させることにより、前記表示パネルをユーザの正面に向けさせることを可能にするものである。
【０００７】
請求項２の発明は、請求項１の発明において、前記アライメントミラーは、複数対設けられており、前記複数対のアライメントミラーは、それぞれ、前記表示パネルの正面に対する角度が他の対のアライメントミラーとは異なるように配置されているものである。
【０００８】
請求項３の発明は、請求項１又は請求項２の発明において、前記表示パネルの正面に対する前記アライメントミラーの角度は、前記ユーザと前記表示パネルとの距離が予め設定されている所定の基準距離のいずれかであるときに、そのユーザ自身の像が前記アライメントミラーの所定位置に映る角度となるように設定されているものである。
【０００９】
請求項４の発明は、請求項１の発明において、前記アライメントミラーは、凹面鏡であるものである。
【発明の効果】
【００１０】
請求項１の発明によれば、筐体正面の左右両側部に、少なくとも一対のアライメントミラーが配置されており、それぞれのアライメントミラーは、表示パネルの中央部について左右対称に、表示パネルの中央部側に傾くように配置されているので、ユーザは、筐体をスタンドに対して回転させながらいずれか一対のアライメントミラーに互いに略左右対称にユーザ自身の像が映ることを確認することにより、表示パネルがユーザの正面に位置していることを確認することができる。従って、複雑な構成のセンサ等を用いることなく、表示パネルを正確且つ容易にユーザに向けることができるようになる。
【００１１】
請求項２の発明によれば、複数対のアライメントミラーが、それぞれ、表示パネルの正面に対する角度が他の対のアライメントミラーとは異なるように配置されているので、ユーザは、ユーザ自身の表示パネルからの距離に応じて、適した一対のアライメントミラーにユーザ自身の像が映ることを確認して、表示パネルが正面に位置していることを確認することができる。従って、ユーザは、より広い範囲で、表示パネルを正確且つ容易にユーザに向けることができるようになる。
【００１２】
請求項３の発明によれば、アライメントミラーは、表示パネルの正面に対する角度が、ユーザと表示パネルとの距離が予め設定されている所定の基準距離のいずれかであるときに、そのユーザ自身の像がアライメントミラーの所定位置に映る角度になるように配置されているので、ユーザは、アライメントミラーを用いて表示パネルが正面に位置していることを確認することにより、表示パネルからどれだけ離れているかを客観的に把握することが可能になる。
【００１３】
請求項４の発明によれば、アライメントミラーは凹面鏡であるので、ユーザが表示パネルに近い場合にも、ユーザが表示パネルから遠い場合にも、同一のアライメントミラーにユーザ自身の像を映して表示パネルをユーザの正面に向けることができる。従って、アライメントミラーの数を少なくすることができ、映像表示装置の製造コストをより低くすることができる。
【発明を実施するための最良の形態】
【００１４】
以下、本発明の一実施形態について図面を参照しつつ説明する。図１は、本実施形態に係る映像表示装置を示す。映像表示装置１は、例えば、いわゆるテレビジョン放送受像機であり、画像を表示する、例えば液晶パネルやプラズマディスプレイパネル等の表示パネル２と、表示パネル２が正面に配置された筐体３と、筐体３の下部左右に設けられ音を発生させるスピーカ４と、筐体３を支持するスタンド５とを備えている。筐体３の表示パネル２の下方には、ユーザにより操作されるリモートコントローラ９からの信号を受信するセンサ等で構成される受信部６ａや、映像表示装置１を操作するための操作スイッチ６ｂ等が設けられている。筐体３は、スタンド５に対し略水平面内で回動可能に取り付けられている。筐体３の内部には、モータや歯車等で構成され、筐体３をスタンド５に対し回動させる回動機構７が配置されている。
【００１５】
リモートコントローラ９には、映像表示装置１の動作を制御するための操作ボタン９ａが設けられている。ユーザは、この操作ボタン９ａを操作することにより、表示パネル２に表示させるテレビジョン放送のチャンネルの選択やスピーカ４から発生させる音の音量調節等を行うことができるように構成されている。本実施形態において、操作ボタン９ａには、ターンボタン９ｂが設けられており、ユーザがターンボタン９ｂを操作すると、回動機構７が駆動され、図の矢印で示すように、筐体３が略水平面内で回動する。これにより、ユーザは、映像表示装置１から離れた位置から、表示パネル２がユーザ自身の正面を向くように筐体３を回動させ、表示パネル２を見やすい状態にすることができる。
【００１６】
ここで、本実施形態においては、筐体３の左右両側部にそれぞれアライメントミラー（以下、ミラーと称する）１０が設けられている。この映像表示装置１においては、ミラー１０は、左右三対のミラー１１ａ，１１ｂ，１２ａ，１２ｂ，１３ａ，１３ｂで構成されている。ミラー１０は、それぞれ、映像表示装置１の前方に反射面を向けて配置されている。左右で対応する一対のミラー１１ａ，１１ｂは、表示パネル２の左右方向の中央部について左右対称に、反射面が共に表示パネル２の正面に対し所定の角度だけ表示パネル２の中央部側に傾くように配置されている。左右でそれぞれ対となるミラー１２ａ，１２ｂ及びミラー１３ａ，１３ｂも、ミラー１１ａ，１１ｂと同様に、それぞれ互いに左右対称に設けられている。
【００１７】
図２は、ミラー１０の配置されている向きを示す。図において、説明上、各ミラー１０を、互いに重なり合わないように左右にずらして示しているが、実際には、各ミラー１０は、互いに上下方向に略直線上に並ぶように配置されている。本実施形態において、表示パネル２の正面に対するミラー１２ａ，１２ｂの角度は、表示パネル２の正面に対するミラー１１ａ，１１ｂの角度よりも大きくなっている。また、表示パネル２の正面に対するミラー１３ａ，１３ｂの角度は、表示パネル２の正面に対するミラー１２ａ，１２ｂの角度よりも大きくなっている。ミラー１１ａ，１１ｂは、その反射面が、それぞれ、表示パネル２の中央部から前方に長さＬ１（例えば、４ｍ）だけ離れた位置にあると仮定するユーザ（図にＵ１で示す）に向くように筐体３に取り付けられている。また、ミラー１２ａ，１２ｂは、その反射面が、それぞれ、表示パネル２の中央部から前方に長さＬ２（例えば、３ｍ）だけ離れた位置にあると仮定するユーザ（図にＵ２で示す）に向くように、筐体３に取り付けられている。そして、ミラー１３ａ，１３ｂは、その反射面が、それぞれ、表示パネル２の中央部から前方に長さＬ３（例えば、２ｍ）だけ離れた位置にあると仮定するユーザ（図にＵ３で示す）に向くように筐体３に取り付けられている。すなわち、本実施形態において、各ミラー１０は、表示パネル２の正面に対し、ユーザと表示パネル２との距離が、予め設定された、図に長さＬ１，Ｌ２，Ｌ３で示す所定の基準距離のいずれかであるときに、当該ユーザの像がいずれかの左右一対のミラー１０の略中央部に映るように配置されている。なお、ミラー１０は、互いに上下方向に並ぶように配置されていなくてもよく、例えば、筐体３の上部に互いに略水平方向に並ぶように配置されていてもよい。
【００１８】
この映像表示装置１では、ユーザは、筐体３を回動させるとき、各ミラー１０に反射するユーザ自身の像を確認することにより、表示パネル２が正確にユーザ自身の正面を向いているかどうかを容易に確認することができる。ユーザは、大まかに表示パネル２の正面を自分に向けた状態で、各ミラー１０に映る像を確認する。ここで、例えば、ユーザが表示パネル２から長さＬ２だけ離れた位置にあるとすると、ユーザの像はミラー１２ａ，１２ｂに映る。ミラー１２ａ，１２ｂに映ったユーザ自身の像が、互いに左右対称であれば、ユーザは、表示パネル２が正確にユーザ自身の正面に向いていると判断する。他方、ミラー１２ａ，１２ｂに映ったユーザ自身の像が、左右対称ではないようであれば、ユーザは、表示パネル２が正確にはユーザ自身の正面に向いていないと判断する。この場合、ユーザは、リモートコントローラ９等を用いて筐体３を回動させ、ミラー１２ａ，１２ｂに映るユーザ自身の像が左右対称となるように筐体３の向きを微調整して、表示パネル２を正確にユーザの正面に向けることができる。
【００１９】
ここで、ミラー１０は、三対設けられているので、ユーザは、表示パネル２からの距離に応じて、適しているいずれか一対のミラー１０を用いて、表示パネル２の正面に位置していることを確認することができる。従って、ユーザは、表示パネル２から遠くても、表示パネル２に近くても、ミラー１０が一対又は二対の場合と比較してより広い範囲で、表示パネル２を正確にユーザの正面に向けることができる。また、各ミラー１０は、それぞれ、ユーザと表示パネル２との距離が所定の基準距離Ｌ１，Ｌ２，Ｌ３のいずれかであるときにユーザがユーザ自身の像を各ミラー１０の略中央部に確認できるように配置されているので、ユーザは、表示パネル２が自分の正面を向いているか確認するときに用いたミラー１０と、そのミラー１０のうちユーザ自身の像が映った位置により、大まかに、自身が表示パネル２からどれだけ離れているかを客観的に把握することができる。従って、ユーザは、自分と表示パネル２との距離が、表示パネル２を見るのに近すぎたり遠すぎたりしないかを適宜客観的に判断することができる。
【００２０】
図３は、上記実施形態の一変形例を示す。この変形例に係る映像表示装置３１は、ミラー１０に替えて左右一対のアライメントミラー３０ａ，３０ｂを設けた点で、上記映像表示装置１と相違する。映像表示装置３１について、上記映像表示装置１と同様の構成部材には同一の符号を付して説明する。
【００２１】
ミラー３０ａ，３０ｂは、凹面鏡であり、その反射面が表示パネル２の前方を向くように、上記ミラー１０と同様に、表示パネル２の左右中心部について左右対称に配置されている。ユーザは、この一対のミラー３０ａ，３０ｂに映るユーザ自身の像を確認することにより、表示パネル２がユーザの正面に向いているかどうかを確認することができる。すなわち、ユーザは、左右のミラー３０ａ，３０ｂに映る自身の像を確認し、左右のミラー３０ａ，３０ｂで互いに略左右対象であれば、表示パネル２がユーザの正面を向いていると判断することができる。
【００２２】
ここで、映像表示装置３１では、凹面鏡であるミラー３０ａ，３０ｂを用いているので、ユーザは、平面鏡を用いた場合よりもより広い範囲の像をミラー３０ａ，３０ｂにより確認できる。すなわち、ユーザが表示パネル２に近い場合にも、ユーザが表示パネル２から離れている場合にも、同一のミラー３０ａ，３０ｂにユーザ自身の像を映して、表示パネル２がユーザの正面を向いているかどうかを確認することができる。このように、平面鏡を用いた場合より少ない数のミラーにより、このように広い範囲において表示パネル２がユーザの正面に向いているかどうか確認可能であるので、映像表示装置３１の製造コストをより低くすることができる。
【００２３】
なお、本発明は上記実施形態の構成に限定されるものではなく、発明の趣旨を変更しない範囲で適宜に種々の変形が可能である。例えば、平面鏡であるアライメントミラーは、一対又は二対でもよく、三対より多くてもよい。また、凹面鏡を用いたアライメントミラーが複数対設けられていてもよく、これにより、さらに広い範囲において、表示パネルがユーザの正面に向いているかどうか確認可能にすることができる。さらにまた、映像表示装置は、テレビジョン放送受像機に限られるものではなく、例えば、外部の計算機等からの画像出力を表示するモニタのようなものであってもよい。
【図面の簡単な説明】
【００２４】
【図１】本発明の一実施形態に係る映像表示装置の一例を示す斜視図。
【図２】上記映像表示装置とユーザとの位置関係を示す平面図。
【図３】上記映像表示装置の一変形例を示す斜視図。
【符号の説明】
【００２５】
１，３１  映像表示装置
２  表示パネル
３  筐体
５  スタンド
７  回動機構
９  リモートコントローラ
９ａ  操作ボタン
９ｂ  ターンボタン（操作ボタン）
１０，１１ａ，１１ｂ，１２ａ，１２ｂ，１３ａ，１３ｂ，３０ａ，３０ｂ  アライメントミラー  
【図１】
2008275982.tif 000003
【図２】
2008275982.tif 000004
【図３】
2008275982.tif 000005